(57)【要約】【課題】キャビネットに収納された加熱対象物を直線往復運動及び回転運動させることにより、調理対象物をより迅速かつ均一に加熱することができ、第１のローラと第２のローラ間に角速度差が発生しないようにして、第１のトレーと第２のトレーが離脱することを防止することができる電子レンジのターンテーブル装置を提供する。【解決手段】電子レンジのターンテーブル装置２０は、キャビネット１０の下側に装着されるモータ２２と、モータ２２の回転軸２４に連結されて回転運動され、その端部に第１のローラ２６及び第２のローラ２８がそれぞれ装着されるアーム３０と、キャビネット１０の底面に直線運動自在に配置され、第１のローラ２６が挿入されるスロット５２が形成される第１のトレー３２と、第１のトレー３２の上面に回転自在に配置され、第２のローラ２８が挿入されるガイドレール６２が形成される第２のトレー３４とを含む。【選択図】図３
2006190659.tif 000002
【特許請求の範囲】
【請求項１】
キャビネットの下側に装着されるモータと、
前記モータの回転軸に連結されて回転運動され、その端部に第１のローラ及び第２のローラがそれぞれ装着されるアームと、
前記キャビネットの底面に直線運動自在に配置され、前記第１のローラが挿入されるスロットが形成される第１のトレーと、
前記第１のトレーの上面に回転自在に配置され、前記第２のローラが挿入されるガイドレールが形成される第２のトレーと、
を含むことを特徴とする電子レンジのターンテーブル装置。
【請求項２】
前記第１のトレーと前記第２のトレーの間には、前記第２のトレーを回転自在に支持する回転リングが配置されることを特徴とする請求項１に記載の電子レンジのターンテーブル装置。
【請求項３】
前記アームは、前記第１のトレーと前記第２のトレー間の空間に配置され、その一端の下面に前記第１のローラが回転自在に支持される第１のローラ支持台が形成され、前記一端の上面に前記第２のローラが回転自在に支持される第２のローラ支持台が形成されることを特徴とする請求項１に記載の電子レンジのターンテーブル装置。
【請求項４】
前記第１のローラと前記第２のローラとが同一垂直線上に形成されることを特徴とする請求項１に記載の電子レンジのターンテーブル装置。
【請求項５】
前記第１のトレーが矩形板状に形成され、その上面に前記第２のトレーが回転自在に配置される円形状の載置部が形成され、その下面に前記キャビネットの底面に転がり運動される複数のローラが装着されることを特徴とする請求項１に記載の電子レンジのターンテーブル装置。
【請求項６】
前記キャビネットの底面に、前記複数のローラが直線往復運動されるようにガイドするガイド溝が形成されることを特徴とする請求項５に記載の電子レンジのターンテーブル装置。
【請求項７】
前記スロットは、前記第１のトレーに電子レンジの前後方向に形成されることを特徴とする請求項１に記載の電子レンジのターンテーブル装置。
【請求項８】
前記スロットは、前記アームの長さの約２倍の長さを有することを特徴とする請求項１に記載の電子レンジのターンテーブル装置。
【請求項９】
前記第２のトレーは、円形板状に形成され、前記第２のローラが挿入されるガイドレールが半径方向に形成されることを特徴とする請求項１に記載の電子レンジのターンテーブル装置。
【請求項１０】
前記ガイドレールは、
前記第２のトレーの下面に半径方向に突成される１対のガイド突起と、
前記１対のガイド突起の間に形成されて前記第２のローラが挿入されるガイド溝と、
から構成されることを特徴とする請求項９に記載の電子レンジのターンテーブル装置。
【発明の詳細な説明】
【技術分野】
【０００１】
本発明は、電子レンジのターンテーブル装置に関し、特に、キャビネットの内部に収納される飲食物を回転運動させると共に直線往復運動させることにより、飲食物を均一に加熱させる電子レンジのターンテーブル装置に関する。
【背景技術】
【０００２】
図１１は、従来の電子レンジを示す断面図である。
【０００３】
従来の電子レンジは、飲食物が収納される所定のキャビティ１０２を有するキャビネット１１０と、キャビネット１１０の内部一側に設置され、キャビティ１０２の内部に供給されるマイクロ波を発生するマグネトロン１０４と、マグネトロン１０４に高電圧を供給する高電圧発生器１０６と、キャビネット１１０の底面に回転自在に設置され、飲食物が載置されるターンテーブル１０８とから構成される。
【０００４】
また、キャビネット１１０の上側には、マグネトロン１０４から発生したマイクロ波をキャビティ１０２に案内する導波管１１２と、導波管１１２から放出されるマイクロ波をキャビティ１０２に均一に照射するための攪拌ファン１１６とが装着される。
【０００５】
また、ターンテーブル１０８は、キャビネット１１０の底面に回転自在に配置されるトレー１２０と、トレー１２０とキャビネット１１０の底面の間に配置され、トレー１２０を回転自在に支持する回転リング１２２と、キャビネット１１０の下側に設置され、その回転軸がトレー１２０に連結されてトレー１２０を回転させるモータ１２４とから構成される。
【０００６】
このように構成された従来の電子レンジのターンテーブル１０８は、モータ１２４の駆動によりトレー１２０が回転運動されることによって、トレー１２０に載置された飲食物が回転されながらマイクロ波により加熱される。
【発明の開示】
【発明が解決しようとする課題】
【０００７】
しかしながら、このような従来の電子レンジのターンテーブルは、回転運動しかできないため飲食物を均一に加熱できないという問題があった。
【０００８】
本発明は、このような従来技術の問題点を解決するためになされたもので、直線往復運動を行う第１のトレーと回転運動を行う第２のトレーとを備えて、加熱対象物を回転運動させると共に直線往復運動させることにより、加熱対象物を均一に加熱させる電子レンジのターンテーブル装置を提供することを目的とする。
【０００９】
また、本発明の他の目的は、直線往復運動を行う第１のトレーと回転運動を行う第２のトレー間に角速度差が発生することを防止することにより、トレーが離脱することを防止する電子レンジのターンテーブル装置を提供することにある。
【課題を解決するための手段】
【００１０】
このような目的を達成するために、本発明による電子レンジのターンテーブルは、キャビネットの下側に装着されるモータと、前記モータの回転軸に連結されて回転運動され、その端部に第１のローラ及び第２のローラがそれぞれ装着されるアームと、前記キャビネットの底面に直線往復運動自在に配置され、前記第１のローラが挿入されるスロットが形成される第１のトレーと、前記第１のトレーの上面に回転自在に配置され、前記第２のローラが挿入されるガイドレールが形成される第２のトレーとを含むことを特徴とする。
【００１１】
また、前記第１のトレーと前記第２のトレーの間には、前記第２のトレーを回転自在に支持する回転リングが配置されることを特徴とする。
【００１２】
また、前記アームは、前記第１のトレーと前記第２のトレー間の空間に配置され、その一端の下面には前記第１のローラが回転自在に支持される第１のローラ支持台が形成され、前記一端の上面には前記第２のローラが回転自在に支持される第２のローラ支持台が形成されることを特徴とする。
【発明の効果】
【００１３】
本発明による電子レンジのターンテーブル装置においては、キャビネットの底面に第１のトレーが直線往復運動自在に配置され、前記第１のトレーの上面に第２のトレーが回転運動自在に配置されて、モータが駆動すると、前記第１のトレーが直線往復運動されると共に前記第２のトレーが回転運動されるようにして、キャビネットに収納された加熱対象物を直線往復運動及び回転運動させることにより、調理対象物をより迅速かつ均一に加熱できるという効果がある。
【００１４】
また、アームに第１のローラ及び第２のローラをそれぞれ同一垂直線上に位置させ、前記第１のローラは前記第１のトレーのスロットに直線往復運動されるように挿入し、前記第２のローラは前記第２のトレーのガイドレールに直線往復運動されるように挿入することにより、前記第１のローラと前記第２のローラ間に角速度差が発生しないようにして、前記第１のトレーと前記第２のトレーが離脱することを防止するという効果がある。
【発明を実施するための最良の形態】
【００１５】
以下、添付の図面を参照して、本発明による電子レンジのターンテーブル装置の好ましい実施形態を説明する。
【００１６】
図１は本発明による電子レンジを示す斜視図で、図２は図１のターンテーブル装置を示す分解斜視図で、図３は図１のターンテーブル装置を示す部分断面図である。
【００１７】
本発明による電子レンジは、飲食物が収納されるキャビティ１２を有するキャビネット１０と、キャビネット１０の内部一側に設置され、キャビティ１２に供給されるマイクロ波を発生するマグネトロン（図示せず）と、前記マグネトロンに供給する高電圧を発生する高電圧発生器（図示せず）と、キャビネット１０の底面に回転運動及び直線往復運動自在に設置され、飲食物が載置されるターンテーブル装置２０とから構成される。
【００１８】
また、ターンテーブル装置２０は、キャビネット１０の下側に装着されて回転力を発生するモータ２２と、モータ２２の回転軸２４に連結され、端部に第１のローラ２６及び第２のローラ２８がそれぞれ回転自在に装着されるアーム３０と、キャビネット１０の底面に左右方向に直線運動自在に配置され、アーム３０の第１のローラ２６により直線往復運動される第１のトレー３２と、第１のトレー３２の上面に回転自在に配置され、アーム３０の第２のローラ２８により回転運動される第２のトレー３４とから構成される。
【００１９】
また、アーム３０は、図４に示すように、第１のトレー３２と第２のトレー３４間の空間に配置され、一端には、モータ２２の回転軸２４に連結される回転軸連結部３６が形成され、他端の下面には、第１のローラ２６が回転自在に支持される第１のローラ支持台４０が形成され、他端の上面には、第２のローラ２８が回転自在に支持される第２のローラ支持台４２が形成される。
【００２０】
また、第１のローラ支持台４０と第２のローラ支持台４２とが同一直線上に形成されるため、アーム３０が回転されると、第１のローラ２６及び第２のローラ２８が同一回転速度で回転されて、両ローラ２６、２８間に角速度差が発生することを防止し、これにより、第１のトレー３２及び第２のトレー３４が離脱することを防止することができる。
【００２１】
また、第１のトレー３２は、図５に示すように、矩形板状に形成され、その上面には、第２のトレー３４が回転自在に配置される円形状の載置部４６が凹状に形成され、その下面の角部位には、キャビネット１０の底面上で転がり運動される複数のローラ４８が装着される。キャビネット１０の底面には、ローラ４８が直線往復運動されるようにガイドするガイド溝５０が形成される。
【００２２】
また、第１のトレー３２には、アーム３０に装着された第１のローラ２６が挿入されて直線運動されるスロット５２が形成される。スロット５２は、第１のトレー３２の中心を通過して第１のトレー３２の前後方向に形成される。かつ、スロット５２は、第１のローラ２６が挿入されて直線運動されるように、第１のローラ２６の幅より大きい幅を有し、アーム３０の長さの約２倍の長さを有するように形成される。
【００２３】
このような第１のトレー３２は、アーム３０がモータ２２により回転運動されて、アーム３０の端部に装着された第１のローラ２６がスロット５２に沿って直線往復運動されると、キャビネット１０のガイド溝５０に沿って左右方向に直線往復運動される。
【００２４】
また、第１のトレー３２の載置部４６には、第２のトレー３４を回転自在に支持する回転リング５６が配置される。回転リング５６は、円形リング状に形成される支持部５８と、支持部５８の円周方向に等間隔に装着されて載置部４６で転がり運動される複数のローラ６０とから構成される。
【００２５】
また、第２のトレー３４は、図６に示すように、円板状に形成され、回転リング５６の上面に載置されて回転運動され、その半径方向に第２のローラ２８が挿入されて直線運動されるガイドレール６２が形成される。
【００２６】
ガイドレール６２は、第２のトレー３４の下面に半径方向に突成される１対の突起部６４と、１対の突起部６４の間に形成されて第２のローラ２８が挿入されて直線運動される溝部６６とから構成される。
【００２７】
このような第２のトレー３４は、アーム３０が回転して第２のローラ２８がガイドレール６２に沿って直線運動されると、第１のトレー３２の上面で回転運動される。
【００２８】
以下、このように構成された本発明による電子レンジのターンテーブル装置の動作を説明する。
【００２９】
図７〜図１０は、本発明による電子レンジのターンテーブル装置の動作説明図である。
【００３０】
まず、第１のトレー３２がキャビネット１０の中央に位置する場合、図７に示すように、アーム３０は第１のトレー３２のスロット５２と水平に位置し、第１のローラ２６はスロット５２の前方に位置する。
【００３１】
このような状態で、モータ２２が駆動してアーム３０が回転されると、図８に示すように、第１のローラ２６がスロット５２に沿って直線運動され、第１のトレー３２が図面の左側に直線運動される。このとき、アーム３０に装着された第２のローラ２８（図２参照）は、第２のトレー３４のガイドレール６２（図２参照）に沿って直線運動され、第２のトレー３４を回転運動させる。また、第１のトレー３２が左側に最大限直線運動された状態になると、第１のローラ２６はスロット５２の中央に位置する。
【００３２】
次に、アーム３０がさらに回転されると、図９に示すように、第１のローラ２６は、スロット５２の中央から後方に直線運動され、このとき、第１のトレー３２は、キャビネット１０の左側から中央に直線運動される。
【００３３】
次に、アーム３０がさらに回転されると、図１０に示すように、第１のローラ２６は、スロット５２内で前記とは反対方向、即ち、スロット５２の前方に向かって直線運動され、このとき、第１のトレー３２は、キャビネット１０の右側方向に直線運動される。
【００３４】
このように、アーム３０が回転されることによって、第１のローラ３２がスロット５２の前方から後方に直線運動され、再び後方から前方に直線運動されると、第１のトレー３２は左右側に往復して直線運動される。このとき、第２のローラ２８は、第２のトレー３４のガイドレール６２に挿入されて第２のトレー３４を継続して回転運動させる。
【図面の簡単な説明】
【００３５】
【図１】本発明による電子レンジを示す斜視図である。
【図２】図１のターンテーブル装置を示す分解斜視図である。
【図３】図１のターンテーブル装置を示す部分断面図である。
【図４】図２のアームを示す斜視図である。
【図５】図２の第１のトレーを示す底面図である。
【図６】図２の第２のトレーを示す底面図である。
【図７】本発明による電子レンジのターンテーブル装置の動作説明図である。
【図８】本発明による電子レンジのターンテーブル装置の動作説明図である。
【図９】本発明による電子レンジのターンテーブル装置の動作説明図である。
【図１０】本発明による電子レンジのターンテーブル装置の動作説明図である。
【図１１】従来の電子レンジを示す断面図である。
【符号の説明】
【００３６】
１０    キャビネット
１２    キャビティ
２０    ターンテーブル装置
２２    モータ
２４    回転軸
２６    第１のローラ
２８    第２のローラ
３０    アーム
３２    第１のトレー
３４    第２のトレー
４０    第１のローラ支持台
４２    第２のローラ支持台
４６    載置部
４８    ローラ
５０    ガイド溝
５２    スロット
５６    回転リング
【図１】
2006190659.tif 000003
【図２】
2006190659.tif 000004
【図３】
2006190659.tif 000005
【図４】
2006190659.tif 000006
【図５】
2006190659.tif 000007
【図６】
2006190659.tif 000008
【図７】
2006190659.tif 000009
【図８】
2006190659.tif 000010
【図９】
2006190659.tif 000011
【図１０】
2006190659.tif 000012
【図１１】
2006190659.tif 000013